【手続補正書】
【提出日】平成18年11月22日(2006.11.22)
【手続補正１】
【補正対象書類名】明細書
【補正対象項目名】発明の名称
【補正方法】変更
【補正の内容】
【発明の名称】ＡＢＳアロイ樹脂の製造方法
【手続補正２】
【補正対象書類名】明細書
【補正対象項目名】特許請求の範囲
【補正方法】変更
【補正の内容】
【特許請求の範囲】
【請求項１】  アクリロニトリルブタジエンスチレンアロイ樹脂の製造方法であって、
（ｉ）再生アクリロニトリルブタジエンスチレン樹脂と、ポリカーボネート、ポリビニルクロライド及びポリブチレンテレフタレートからなる群より選ばれる１種以上の樹脂とを混合する工程と、
（ｉｉ）該工程（ｉ）で得られた混合物を溶融混練する工程と、
（ｉｉｉ）該工程（ｉｉ）で得られた溶融混練体をペレット化する工程とを有し、
前記工程（ｉ）の再生アクリロニトリルブタジエンスチレン樹脂は、下記の工程（１）〜（３）を含む方法を経て得られることを特徴とするアクリロニトリルブタジエンスチレンアロイ樹脂の製造方法：
（１）アクリロニトリルブタジエンスチレン樹脂成型品を粉砕し、４ｍｍ以上１０ｍｍ以下のメッシュスクリーンを用いて篩い分けし、粉砕品を得る工程と、
（２）該工程（１）で得られた粉砕品を、粉砕品１質量部に対し１０質量部以上の水で洗浄する工程と、
（３）該工程（２）で得られた水洗粉砕品を含水分率０．３質量％以下に乾燥する工程。
【請求項２】  工程（４）として、更に風力分級により、粉砕品の嵩密度より嵩密度が０．５以上低い低密体を粉砕品から除去する工程を有することを特徴とする請求項１記載のアクリロニトリルブタジエンスチレンアロイ樹脂の製造方法。
【請求項３】  前記工程（４）を、前記工程（３）の後に行うことを特徴とする請求項２記載のアクリロニトリルブタジエンスチレンアロイ樹脂の製造方法。
【請求項４】  工程（５）として、更に比重分離により、粉砕品の真密度より真密度が０．５以上高い高密体を除去する工程を有することを特徴とする請求項１乃至３の何れかに記載のアクリロニトリルブタジエンスチレンアロイ樹脂の製造方法。
【請求項５】  前記工程（５）を、前記工程（２）と同時に行うことを特徴とする請求項４記載のアクリロニトリルブタジエンスチレンアロイ樹脂の製造方法。
【請求項６】  工程（６）として、更に残留磁束密度１テスラ以上の磁石を用いて、粉砕品から金属を除去する工程を有することを特徴とする請求項１乃至５の何れかに記載のアクリロニトリルブタジエンスチレンアロイ樹脂の製造方法。
【請求項７】  前記工程（６）を、前記工程（３）の後に行うことを特徴とする請求項６記載のアクリロニトリルブタジエンスチレンアロイ樹脂の製造方法。
【請求項８】  工程（７）として、更に金属検知除去装置を用いて、粉砕品から金属を除去する工程を有することを特徴とする請求項１乃至７の何れかに記載のアクリロニトリルブタジエンスチレンアロイ樹脂の製造方法。
【請求項９】  前記工程（７）を、前記工程（３）の後に行うことを特徴とする請求項８記載のアクリロニトリルブタジエンスチレンアロイ樹脂の製造方法。
【請求項１０】  前記工程（ｉ）において、５０質量部以上７０質量部以下の再生アクリロニトリルブタジエンスチレン樹脂と、３０質量部以上５０質量部以下のポリカーボネート樹脂を混合する請求項１乃至９の何れかに記載のアクリロニトリルブタジエンスチレンアロイ樹脂の製造方法。
【手続補正３】
【補正対象書類名】明細書
【補正対象項目名】０００１
【補正方法】変更
【補正の内容】
【０００１】
【発明の属する技術分野】
本発明は、ＡＢＳアロイ樹脂の製造方法に関する。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
本発明は、高品位なＡＢＳアロイ樹脂の製造方法を提供することを目的とする。
【手続補正７】
【補正対象書類名】明細書
【補正対象項目名】０００９
【補正方法】変更
【補正の内容】
【０００９】
【課題を解決するための手段】
上記課題を解決するための本発明において利用される再生ＡＢＳ樹脂の原料としては、ヴァージン材を射出成形することにより部品化され、主に電気電子機器に使用されたＡＢＳ樹脂を再生して得られる再生ＡＢＳ樹脂がある。
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】変更
【補正の内容】
【００１２】
本発明によれば、ＡＢＳアロイ樹脂の製造方法であって、
（ｉ）再生ＡＢＳ樹脂と、ＰＣ、ＰＶＣ及びＰＢＴからなる群より選ばれる１種以上の樹脂とを混合する工程と、
（ｉｉ）該工程（ｉ）で得られた混合物を溶融混練する工程と、
（ｉｉｉ）該工程（ｉｉ）で得られた溶融混練体をペレット化する工程とを有し、
前記工程（ｉ）の再生ＡＢＳ樹脂は、下記の工程（１）〜（３）を含む方法を経て得られることを特徴とするＡＢＳアロイ樹脂の製造方法が提供される：
（１）ＡＢＳ樹脂成型品を粉砕し、４ｍｍ以上１０ｍｍ以下のメッシュスクリーンを用いて篩い分けし、粉砕品を得る工程と、
（２）該工程（１）で得られた粉砕品を、粉砕品１質量部に対し１０質量部以上の水で洗浄する工程と、
（３）該工程（２）で得られた水洗粉砕品を含水分率０．３質量％以下に乾燥する工程。
【手続補正１０】
【補正対象書類名】明細書
【補正対象項目名】００１４
【補正方法】変更
【補正の内容】
【００１４】
本発明に用いる再生ＡＢＳ樹脂の製造においては、ヴァージン材を射出成形して製造され、ＡＢＳ樹脂より主になる部品を再生する際に、ＡＢＳ樹脂の特性を考慮し再生の各工程の条件を最適化して、特殊な工程を経ることなく操作性良好に再生を行う。得られた再生ＡＢＳ樹脂は、ヴァージン材と同等に射出成形でき、電気電子機器の部品を良好に製造することができる。
【手続補正１１】
【補正対象書類名】明細書
【補正対象項目名】００１５
【補正方法】変更
【補正の内容】
【００１５】
更に、本発明において用いられる再生ＡＢＳ樹脂は、ＰＣ樹脂（ＰｏｌｙｃａｒｂｏｎａｔｅＲｅｓｉｎ）、ＰＶＣ樹脂（Ｐｏｌｙｖｉｎｙｌ Ｃｈｌｏｒｉｄｅ Ｒｅｓｉｎ）、ＰＢＴ樹脂（Ｐｏｌｙｂｕｔｙｌｅｎｅ Ｔｅｒｅｐｈｔｈａｌａｔｅ Ｒｅｓｉｎ）等の樹脂と混合して、再生ＡＢＳアロイ樹脂とすることができる。
【手続補正１２】
【補正対象書類名】明細書
【補正対象項目名】００１８
【補正方法】変更
【補正の内容】
【００１８】
ヴァージン材として使用されるＡＢＳ樹脂の製造方法は特に制限されないが、乳化状態のゴムに乳化状態のスチレン、アクリルニトリルの単量体を混ぜて重合させる乳化重合法；ゴムをスチレン、アクリルニトリルの単量体に溶解させて塊状重合させ、重合の途中でこの重合液を水中に懸濁させて懸濁重合条件下に重合を継続する塊状懸濁重合法等により製造することができる。なお、ＰＣ樹脂、ＰＶＣ樹脂、ＰＢＴ樹脂等をアロイ化する際には、使用されるＡＢＳ樹脂の特性に応じた重合方法が選択されるが、一般には、乳化重合法および塊状懸濁重合法のいずれの重合方法において製造されたＡＢＳ樹脂でも、アロイ化は可能である。
【手続補正１３】
【補正対象書類名】明細書
【補正対象項目名】００３９
【補正方法】変更
【補正の内容】
【００３９】
再生ＡＢＳ樹脂を部品から再生する方法は、粉砕、洗浄、乾燥、異物除去等の従来から利用されている工程の組合わせであるが、各工程の条件は、所望の特性を有する再生ＡＢＳ樹脂を生産性よく製造するために、注意深く至適化される。